(57)【要約】【課題】  この発明は製品へ適用可能な撮影装置を提供することを目的とする。また、撮影された複数の映像データを連結させる撮影装置を提供することを目的とする。【解決手段】  この発明に係る撮影装置は、被写体を撮影し、撮影された映像を映像信号に変換して出力する撮影手段と、被写体が撮影された時刻情報を出力する時刻情報出力手段と、出力された映像信号に、被写体が撮影された時刻情報が関連付けられて記憶される記憶媒体と、記憶媒体に記憶された複数の映像信号を連結するための条件が指定されているかを判別する連結条件指定判別手段と、複数の映像信号を連結する条件が指定されている場合に、記憶媒体に記憶されている映像データの中から、当該指定された連結条件に基づいて映像データを検索する映像データ検索手段と、検索された映像データを、時刻情報に基づいて連結する映像データ連結手段を備えるように構成している。【選択図】      図１
2009182485.tif 000002
【特許請求の範囲】
【請求項１】
被写体を撮影して映像データに変換し、記憶媒体に記憶する撮影装置において、
被写体を撮影し、撮影された映像を映像信号に変換して出力する撮影手段と、
前記被写体が撮影された時刻情報を出力する時刻情報出力手段と、
前記出力された映像信号に、前記被写体が撮影された時刻情報が関連付けられて記憶される記憶媒体と、
前記記憶媒体に記憶された複数の映像信号を連結するための条件が指定されているかを判別する連結条件指定判別手段と、
前記複数の映像信号を連結する条件が指定されている場合に、前記記憶媒体に記憶されている映像データの中から、当該指定された連結条件に基づいて映像データを検索する映像データ検索手段と、
前記検索された映像データを、前記時刻情報に基づいて連結する映像データ連結手段を備えることを特徴とする撮影装置。
【請求項２】
被写体を撮影して映像データに変換し、記憶媒体に記憶する撮影装置において、
被写体を撮影し、撮影された映像を映像信号に変換して出力する撮影手段と、
前記被写体が撮影された時刻情報を出力する時刻情報出力手段と、
前記被写体が撮影された位置に関する情報を出力する位置情報出力手段と、
前記出力された映像信号に、前記被写体が撮影された時刻情報および前記被写体が撮影された位置に関する情報が関連付けられて記憶される記憶媒体と、
前記記憶媒体に記憶された複数の映像信号を連結するための条件が指定されているかを判別する連結条件指定判別手段と、
前記複数の映像信号を連結する条件が指定されている場合に、前記記憶媒体に記憶されている映像データの中から、当該指定された連結条件に基づいて映像データを検索する映像データ検索手段と、
前記検索された映像データを、前記時刻情報に基づいて連結する映像データ連結手段を備えることを特徴とする撮影装置。
【請求項３】
前記複数の映像信号を連結するための条件は、日時範囲、距離範囲、特定ルートからの距離範囲のいずれかであることを特徴とする請求項１または２に記載の撮影装置。
【請求項４】
被写体を撮影し、撮影された映像を映像信号に変換して出力するステップと、
前記被写体が撮影された時刻情報を出力するステップと、
前記出力された映像信号に、前記被写体が撮影された時刻情報が関連付けられて記憶されるステップと、
前記記憶媒体に記憶された複数の映像信号を連結するための条件が指定されているかを判別するステップと、
前記複数の映像信号を連結する条件が指定されている場合に、前記記憶媒体に記憶されている映像データの中から、当該指定された連結条件に基づいて映像データを検索するステップと、
前記検索された映像データを、前記時刻情報に基づいて連結するステップを備えることを特徴とする撮影方法。
【請求項５】
被写体を撮影し、撮影された映像を映像信号に変換して出力するステップと、
前記被写体が撮影された時刻情報を出力するステップと、
前記被写体が撮影された位置に関する情報を出力するステップと、
前記出力された映像信号に、前記被写体が撮影された時刻情報および前記被写体が撮影された位置に関する情報が関連付けられて記憶されるステップと、
前記記憶媒体に記憶された複数の映像信号を連結するための条件が指定されているかを判別するステップと、
前記複数の映像信号を連結する条件が指定されている場合に、前記記憶媒体に記憶されている映像データの中から、当該指定された連結条件に基づいて映像データを検索するステップと、
前記検索された映像データを、前記時刻情報に基づいて連結するステップを備えることを特徴とする撮影方法。
【発明の詳細な説明】
【技術分野】
【０００１】
この発明は、撮影装置に関する。またこの発明は撮影された複数の映像データを連結させる撮影装置に関する。
【背景技術】
【０００２】
近年、被写体を撮影する撮影装置が普及している。そして、撮影された複数の画像をグループ化する方法が提案されている。
特許文献１には、複数の撮影画像をグループ化する際の、使い勝手やグループ化した撮影画像の撮影位置を地図上に表示させる際の、視認性を大幅に向上させることを可能とする技術が開示されている。
【０００３】
しかしながら、この特許文献１においては、グループ化した撮影画像を、連結させるための技術が開示されていなかった。このため、製品への適用という点でまだ十分とはいえなかった。
【特許文献１】特開２００５−９４８１０
【発明の開示】
【発明が解決しようとする課題】
【０００４】
そこで、この発明は、上記事情を考慮してなされたもので、製品へ適用可能な撮影装置を提供することを目的とする。また、撮影された複数の映像データを連結させる撮影装置を提供することを目的とする。
【課題を解決するための手段】
【０００５】
この発明に係る撮影装置は、被写体を撮影し、撮影された映像を映像信号に変換して出力する撮影手段と、前記被写体が撮影された時刻情報を出力する時刻情報出力手段と、前記出力された映像信号に、前記被写体が撮影された時刻情報が関連付けられて記憶される記憶媒体と、前記記憶媒体に記憶された複数の映像信号を連結するための条件が指定されているかを判別する連結条件指定判別手段と、前記複数の映像信号を連結する条件が指定されている場合に、前記記憶媒体に記憶されている映像データの中から、当該指定された連結条件に基づいて映像データを検索する映像データ検索手段と、前記検索された映像データを、前記時刻情報に基づいて連結する映像データ連結手段を備えるように構成している。
【０００６】
この発明に係る撮影方法は、被写体を撮影し、撮影された映像を映像信号に変換して出力するステップと、前記被写体が撮影された時刻情報を出力するステップと、前記出力された映像信号に、前記被写体が撮影された時刻情報が関連付けられて記憶されるステップと、前記記憶媒体に記憶された複数の映像信号を連結するための条件が指定されているかを判別するステップと、前記複数の映像信号を連結する条件が指定されている場合に、前記記憶媒体に記憶されている映像データの中から、当該指定された連結条件に基づいて映像データを検索するステップと、前記検索された映像データを、前記時刻情報に基づいて連結するステップを備えるように構成している。
【発明の効果】
【０００７】
上記した構成によれば、製品へ適用可能な撮影装置を提供することが可能となる。また、撮影された複数の映像データを連結させる撮影装置を提供することが可能となる。
【発明を実施するための最良の形態】
【０００８】
以下、図面を参照し、この発明の実施の形態を説明する。
図１は、この発明の実施の形態に係る撮影装置の構成を示すブロック図である。
符号１０は撮影装置、符号101は映像入力装置(レンズ、CCD等)、符号102は映像処理装置、符号110はGPS、符号120は時計、符号201は操作入力装置(ボタン等)、符号301は制御装置、符号401は記憶装置(HDD等)、符号501は映像出力装置(ビデオ出力等)である。
【０００９】
映像入力装置101において被写体の撮影が行われ、撮影した映像が撮影装置１０に入力される。入力された映像は映像処理装置102で受信され、映像データ（映像信号）に変換される。この映像データは制御装置301で制御され、記憶装置401へ送信されて記憶される。
【００１０】
このとき、撮影時の時刻情報が時計120から取得され、映像データに撮影日時が関連付けられて記憶される。
またこのとき、GPS110から、撮影装置１０を用いて被写体を撮影している場所の位置情報（すなわち緯度経度情報）が取得され、これも映像データへ関連付けられて記憶される。ここでGPSはグローバル・ポジショニング・システム (Global Positioning System)：全地球測位システムのことである。
【００１１】
制御装置301は、映像出力装置501を制御し、外部へ映像データを出力する。
すなわち、撮影装置１０および映像処理装置102は、被写体を撮影し、撮影された映像を映像信号に変換して出力する（撮影手段）。時計120は、被写体が撮影された時刻情報を出力する（時刻情報出力手段）。GPS110は、被写体が撮影された位置に関する情報を出力する（位置情報出力手段）。制御装置301は、出力された映像信号に、被写体が撮影された時刻情報および前記被写体が撮影された位置に関する情報を関連付けられて、HDD等の記憶装置401に記憶するように制御する。
【００１２】
また制御装置301は、記憶媒体４０１に記憶された複数の映像信号を連結するための条件が指定されているかを判別する（連結条件指定判別手段）。そして、複数の映像信号を連結する条件が指定されている場合に、記憶媒体４０１に記憶されている映像データの中から、当該指定された連結条件に基づいて映像データを検索するよう制御する（映像データ検索手段）。また、検索された映像データを、時刻情報に基づいて連結するよう制御する（映像データ連結手段）。
【００１３】
図２は、この発明の実施の形態に係る撮影装置において、映像データの処理のようすを説明するフローチャートである。
符号Ｓ１００は、ここでの開始ステップである。続いて符合Ｓ１０１を付したステップへ進む。
符号Ｓ１０１は、被写体の撮影、すなわちビデオ撮影が終了したステップである。続いて、符合Ｓ１０２を付したステップへ進む。
符号Ｓ１０２は、自動連結が設定されているかを判断するステップである。自動連結が設定されていると判断される場合は符合Ｓ１０３を付したステップへ進む（Ｙｅｓ）。自動連結が設定されていないと判断される場合は符合Ｓ１１０を付したステップへ進む（Ｎｏ）。
【００１４】
符号Ｓ１０３は対象となる映像データを選択するステップである。続いて符合Ｓ１０４を付したステップへ進む。
符号Ｓ１０４は映像データの連結を行うか否かを判断するステップである。映像データの連結を行うと判断する場合は符号Ｓ１０６を付したステップへ進む（Ｙｅｓ）。映像データの連結を行わないと判断する場合は符号Ｓ１０５を付したステップへ進む（Ｎｏ）。
【００１５】
符号Ｓ１０５はプレイリストを作成するか否かを判断するステップである。プレイリストを作成すると判断する場合は符号Ｓ１０７を付したステップへ進む（Ｙｅｓ）。プレイリストを作成すると判断しない場合は符号Ｓ１０８を付したステップへ進む（Ｎｏ）。
【００１６】
符号Ｓ１０７はプレイリストを作成するステップである。続いて符合Ｓ１１０を付したステップへ進む。
符号Ｓ１０８はフォルダを作成するステップである。続いて符合Ｓ１０９を付したステップへ進む。
符号Ｓ１０９は映像データをフォルダへ移動するフォルダである。続いて符合Ｓ１１０を付したステップへ進む。
符号１１０は終了ステップであり、ここでの処理は終了する。
図３はこの発明の実施の形態に係る撮影装置において、映像データの連結動作のようすを説明するフローチャートである。
符号Ｓ２００は、開始ステップである。続いて符合Ｓ２０１を付したステップへ進む。
符号Ｓ２０１は、連結条件の指定がされているか否かを判断するステップである。複数の映像信号を連結する条件は、例えば、a.日時範囲、b.距離範囲、c.特定ルートからの距離範囲等を用いることが可能である。複数の映像信号を連結する条件が指定されている場合は、符号Ｓ２０２を付したステップへ進む（Ｙｅｓ）。複数の映像信号を連結する条件が指定されていない場合は、符号Ｓ２０４を付したステップへ進む（Ｎｏ）。
【００１７】
符号Ｓ２０２は、上記a.日時範囲、b.距離範囲、c.特定ルートからの距離範囲等の指定条件に基づいて映像データを検索するステップである。続いて符合Ｓ２０３を付したステップへ進む。
【００１８】
符号Ｓ２０３は、検索された映像データを撮影された日時順に整理するステップである。続いて符合Ｓ２０４を付したステップへ進む。
符号Ｓ２０４は、上記日時順に整理された映像データを連結するステップである。続いて符合Ｓ２０5を付したステップへ進む。
符号Ｓ２０５は終了ステップであり、ここでの処理は終了する。
尚、上記説明においては、情報付加を撮影時として説明したが、これを、撮影開始時、撮影開始・終了時、撮影開始から終了までの一定期間毎等に変更して指定することが可能である。
【００１９】
また、連結機能を使うかどうかを、ユーザ設定で行うことも可能である。また、連結を、撮影終了時に行うかどうかユーザが指定するように構成することも可能である。また、撮影終了時に、後から連結機能を起動するように構成することも可能である。また、連結するか、プレイリスト化するか、同一フォルダにまとめるかを、ユーザが指定するように構成することも可能である。
【００２０】
図４は、この発明の実施の形態に係る撮影装置において、例えば、日時範囲が連結条件として指定された場合の検索のようすを示す図である。
上記のように、撮影装置１０は、撮影期間（日時）がユーザ設定の日時指定範囲内にある映像データを記憶装置401から探し出し、日時順に連結する。したがって、日時指定範囲外にある映像データは、連結されない。
【００２１】
ここでは、指定された日時範囲と合致する、撮影期間（１）および撮影期間（２）の映像データが連結される。しかし、撮影期間（３）の映像データは、指定された日時範囲と合致しないため上記検索では抽出されず、連結されない。
【００２２】
図５は、この発明の実施の形態に係る撮影装置において、距離範囲が連結条件として指定された場合の検索のようすを示す図である。
ここでは、ユーザによって設定された所定の距離範囲（例えば撮影位置から１０ｍ以内等）が連結条件として指定されている。そして、図示するように、この距離範囲に位置情報を持つ映像データ通しが連結される。ここでは、所定の距離範囲を円で示している。
【００２３】
撮影装置１０は、ＧＰＳ１１０から取得された撮影場所情報を用いて、ユーザ設定の距離指定範囲内にある映像データを記憶装置401から探し出す。そして、これらを日時順に連結する。上記と同様に、距離指定範囲の外にある映像データは、連結されない。図５では、１回の撮影軌跡（１）の映像データと１回の撮影軌跡（２）の映像データは連結される。しかし、ここでは、１回の撮影軌跡（３）の映像データは連結されない。
【００２４】
図６は、この発明の実施の形態に係る撮影装置において、所定ルートからの距離範囲が連結条件として指定された場合の検索のようすを示す図である。
所定ルートを選択する場合は、例えば、ユーザが地図を用い、ルートを指定するようにしても良い。
ここでは、ユーザによって設定された所定ルートからの距離範囲（例えば所定ルートから５ｍ以内等）が連結条件として指定されている。そして、図示するように、この所定ルートからの距離範囲に位置情報を持つ映像データ通しが連結される。ここでは、所定の所定ルートからの距離範囲を模式的に示している。
【００２５】
撮影装置１０は、上記設定された所定ルートおよびＧＰＳ１１０から取得された撮影場所情報を用いて、ユーザ設定の所定ルートからの距離範囲内にある映像データを記憶装置401から探し出す。そして、これらを日時順に連結する。上記と同様に、所定ルートからの距離範囲の外にある映像データは、連結されない。図６では、１回の撮影軌跡（１）の映像データと１回の撮影軌跡（２）の映像データは連結される。しかし、１回の撮影軌跡（３）の映像データは連結されない。
【００２６】
また、この発明の実施の形態においては、上記連結条件を日時・場所・ルート等の中から選択したり、上記連結条件を組み合わせたりすることも可能である。
上記のように構成することによって、この発明の実施の形態においては、製品へ適用可能な撮影装置を提供することが可能となるという効果がある。また、撮影された複数の映像データを連結させる撮影装置を提供することが可能となるという効果がある。
【００２７】
また、この発明の実施の形態においては、ユーザ自身が編集作業を行い、１つ１つの映像データを連結やプレイリスト化やフォルダに集めるという事をしなくても、映像装置１０（ビデオカメラ）側で、例えば上記日時、場所、ルート設定に基づき、連結やプレイリスト化やフォルダに集めてくれるため、ユーザの利便性を向上させることが可能になるという効果がある。
【００２８】
また、自動設定をしておけば、ユーザ側で編集を意識しなくても、ビデオカメラ側で自動的に連結作業をしてくれているので、時間短縮になるし、連結等してくれれば映像データ数が少なくなるので、映像の移動や仕分けがやり易くなるという効果がある。
【００２９】
なお、この発明は、上記した実施の形態そのままに限定されるものではなく、実施段階では、その趣旨を逸脱しない範囲で、構成要素を種々変形して具体化することが可能である。
【図面の簡単な説明】
【００３０】
【図１】この発明の実施の形態に係る撮影装置の構成を示すブロック図。
【図２】この発明の実施の形態に係る撮影装置において、映像データの処理のようすを説明するフローチャート。
【図３】この発明の実施の形態に係る撮影装置において、映像データの連結動作のようすを説明するフローチャート。
【図４】この発明の実施の形態に係る撮影装置において、日時範囲が連結条件として指定された場合の検索のようすを示す図。
【図５】この発明の実施の形態に係る撮影装置において、距離範囲が連結条件として指定された場合の検索のようすを示す図。
【図６】この発明の実施の形態に係る撮影装置において、所定ルートからの距離範囲が連結条件として指定された場合の検索のようすを示す図。
【符号の説明】
【００３１】
１０…撮影装置、101…映像入力装置(レンズ、CCD等)、102…映像処理装置、110…GPS、120…時計、201…操作入力装置(ボタン等)、301…制御装置、401…記憶装置(HDD等)、501…映像出力装置(ビデオ出力等)。
【図１】
2009182485.tif 000003
【図２】
2009182485.tif 000004
【図３】
2009182485.tif 000005
【図４】
2009182485.tif 000006
【図５】
2009182485.tif 000007
【図６】
2009182485.tif 000008